(57)【要約】【課題】抵抗成分の抵抗値を精度よく管理することが可能な積層型フィルタを提供すること。【解決手段】積層型フィルタは、コンデンサ素体ＣＥ１と、コンデンサ素体の外表面に配置された信号用端子電極、接地用端子電極及び接続導体とを備えている。コンデンサ素体ＣＥ１は、絶縁体層１１〜１９と、第１の信号用内部電極２２〜２４と、第２の信号用内部電極２１と、接地用内部電極４１〜４４とを有している。第１の信号用内部電極２２〜２４は、接続導体に接続されている。第２の信号用内部電極２１は、信号用端子電極及び接続導体に接続されている。接地用内部電極４１〜４４は、接地用端子電極に接続されている。第２の信号用内部電極２１のみが信号用端子電極に直接的に接続され、第１の信号用内部電極２２〜２４は接続導体及び第２の信号用内部電極を通して信号用端子電極に間接的に接続されている。【選択図】図２
2008042750.tif 000002
【特許請求の範囲】
【請求項１】
コンデンサ素体と、
前記コンデンサ素体の外表面に配置された少なくとも２つの信号用端子電極と、
前記コンデンサ素体の前記外表面に配置された少なくとも１つの接地用端子電極と、
前記コンデンサ素体の前記外表面に配置された少なくとも１つの接続導体と、を備え、
前記コンデンサ素体が、積層された複数の絶縁体層と、前記複数の絶縁体層のうち少なくとも一つの絶縁体層を挟んで対向するように配置される第１の信号用内部電極及び接地用内部電極と、前記複数の絶縁体層のうち少なくとも一つの絶縁体層を挟んで前記第１の信号用内部電極及び前記接地用内部電極のいずれか一方の内部電極と対向するように配置される第２の信号用内部電極と、有し、
前記第１の信号用内部電極が、前記少なくとも１つの接続導体に接続され、
前記第２の信号用内部電極が、前記少なくとも２つの信号用端子電極と前記少なくとも１つの接続導体とに接続され、
前記接地用内部電極が、前記少なくとも１つの接地用端子電極に接続されていることを特徴とする積層型フィルタ。
【請求項２】
前記コンデンサ素体が、直方体状であり、互いに対向する長方形状の第１及び第２の主面と、前記第１及び第２の主面間を連結するように前記第１及び第２の主面の長辺方向に伸び且つ互いに対向する第１及び第２の側面と、前記第１及び第２の主面間を連結するように前記第１及び第２の主面の短辺方向に伸び且つ互いに対向する第１及び第２の端面とを有しており、
前記信号用端子電極が、前記第１及び第２の端面にそれぞれ配置され、
前記接地用端子電極が、前記第１及び第２の側面にそれぞれ配置され、
前記接続導体が、前記第１及び第２の側面にそれぞれ配置され、
前記第１の信号用内部電極が、前記第１及び第２の主面の長辺方向を長辺方向とする主電極部分と、該主電極部分から前記第１及び第２の側面に向けてそれぞれ伸びると共に前記接続導体にそれぞれ接続される引き出し部分と、を含み、
前記第２の信号用内部電極が、前記第１及び第２の主面の長辺方向を長辺方向とする主電極部分と、該主電極部分から前記第１及び第２の端面に向けてそれぞれ伸びると共に前記信号用端子電極にそれぞれ接続される引き出し部分と、該主電極部分から前記第１及び第２の側面に向けてそれぞれ伸びると共に前記接続導体にそれぞれ接続される引き出し部分と、を含み、
前記接地用内部電極が、前記第１及び第２の主面の長辺方向を長辺方向とする主電極部分と、該主電極部分から前記第１及び第２の側面に向けてそれぞれ伸びると共に前記接続導体にそれぞれ接続される引き出し部分と、を含んでいることを特徴とする請求項１に記載の積層型フィルタ。
【発明の詳細な説明】
【技術分野】
【０００１】
本発明は、積層型フィルタに関する。
【背景技術】
【０００２】
この種の積層型フィルタとして、複数の誘電体層からなる積層体と、この積層体の外表面に設けられた入力電極、出力電極及びグランド電極と、入力電極と出力電極との間に接続された抵抗体と、分離された一方の部分が入力電極に接続されると共に他方の部分が出力電極に接続された第１の導体電極と、グランド電極に接続された第２の導体電極と、備え、第１及び第２の導体電極間に静電容量が生成されるものが知られている。（例えば、特許文献１参照）。特許文献１に記載された積層型フィルタでは、いわゆるＣＲフィルタであって、抵抗体を形成するための抵抗ペーストにおける誘電体粉末の配合比を変更することにより、抵抗体の抵抗値を調整している。
【特許文献１】特開２０００−５８３８２号公報
【発明の開示】
【発明が解決しようとする課題】
【０００３】
しかしながら、特許文献１に記載された積層型フィルタのように、抵抗体を備えると共に、その抵抗体の抵抗値を抵抗ペーストの誘電体粉末の配合比を変更することにより調整するのでは、ＣＲフィルタにおける抵抗成分の抵抗値を精度よく管理することは極めて困難とである。特許文献１に記載された積層型フィルタでは、特に、上記抵抗成分の抵抗値を大きく設定することが、難しくなってくる。
【０００４】
本発明は、抵抗成分の抵抗値を精度よく管理することが可能な積層型フィルタを提供することを課題とする。
【課題を解決するための手段】
【０００５】
本発明に係る積層型フィルタは、コンデンサ素体と、コンデンサ素体の外表面に配置された少なくとも２つの信号用端子電極と、コンデンサ素体の外表面に配置された少なくとも１つの接地用端子電極と、コンデンサ素体の外表面に配置された少なくとも１つの接続導体と、を備え、コンデンサ素体が、積層された複数の絶縁体層と、複数の絶縁体層のうち少なくとも一つの絶縁体層を挟んで対向するように配置される第１の信号用内部電極及び接地用内部電極と、複数の絶縁体層のうち少なくとも一つの絶縁体層を挟んで第１の信号用内部電極及び接地用内部電極のいずれか一方の内部電極と対向するように配置される第２の信号用内部電極と、有し、第１の信号用内部電極が、少なくとも１つの接続導体に接続され、第２の信号用内部電極が、少なくとも２つの信号用端子電極と少なくとも１つの接続導体とに接続され、接地用内部電極が、少なくとも１つの接地用端子電極に接続されていることを特徴とする。
【０００６】
本発明に係る積層型フィルタでは、信号用内部電極は、信号用端子電極に接続される第２の信号用内部電極と、信号用端子電極に接続導体を通して間接的に接続される第１の信号用内部電極とを有することとなる。
【０００７】
ところで、すべての信号用内部電極が信号用端子電極に接続されている場合、各信号用内部電極により形成されることとなる抵抗成分それぞれが信号用端子電極に対して並列接続されることとなり、信号用内部電極により形成されることとなる抵抗成分の合成抵抗値が小さくなってしまう。積層型フィルタの静電容量を大きく設定するために絶縁体層及び内部電極の積層数を多くすると、上記合成抵抗値は更に小さくなる。
【０００８】
本発明者等は、抵抗成分の抵抗値を精度よく管理し得る積層型フィルタについて鋭意研究を行った。その結果、本発明者等は、信号用内部電極をコンデンサ素体の外表面に配置された接続導体で接続し且つ信号用端子電極に接続される信号用内部電極の数を変えることができれば、信号用内部電極により形成されることとなる抵抗成分の合成抵抗値を所望の値に設定することができるという新たな事実を見出すに至った。また、本発明者等は、信号用内部電極をコンデンサ素体の外表面に配置された接続導体で接続し且つ信号用端子電極に接続される信号用内部電極の位置を変えることができれば、同様に、信号用内部電極により形成されることとなる抵抗成分の合成抵抗値を所望の値に設定することができるという新たな事実を見出すに至った。特に、信号用端子電極に接続される信号用内部電極の数を信号用内部電極の総数よりも少なくする、すなわち、信号用端子電極に接続導体を通して間接的に接続される信号用内部電極を有するようにすれば、上記合成抵抗値を大きくする方向での調整が可能となる。
【０００９】
以上のことから、本発明によれば、抵抗成分の抵抗値を精度よく管理することができる。特に、本発明では、静電容量を大きく設定することができると共に、ＣＲフィルタにおける抵抗成分の抵抗値も大きく設定することができる。
【００１０】
この場合、コンデンサ素体が、直方体状であり、互いに対向する長方形状の第１及び第２の主面と、第１及び第２の主面間を連結するように第１及び第２の主面の長辺方向に伸び且つ互いに対向する第１及び第２の側面と、第１及び第２の主面間を連結するように第１及び第２の主面の短辺方向に伸び且つ互いに対向する第１及び第２の端面とを有しており、信号用端子電極が、第１及び第２の端面にそれぞれ配置され、接地用端子電極が、第１及び第２の側面にそれぞれ配置され、接続導体が、第１及び第２の側面にそれぞれ配置され、第１の信号用内部電極が、第１及び第２の主面の長辺方向を長辺方向とする主電極部分と、該主電極部分から第１及び第２の側面に向けてそれぞれ伸びると共に接続導体にそれぞれ接続される引き出し部分と、を含み、第２の信号用内部電極が、第１及び第２の主面の長辺方向を長辺方向とする主電極部分と、該主電極部分から第１及び第２の端面に向けてそれぞれ伸びると共に信号用端子電極にそれぞれ接続される引き出し部分と、該主電極部分から第１及び第２の側面に向けてそれぞれ伸びると共に接続導体にそれぞれ接続される引き出し部分と、を含み、接地用内部電極が、第１及び第２の主面の長辺方向を長辺方向とする主電極部分と、該主電極部分から第１及び第２の側面に向けてそれぞれ伸びると共に接続導体にそれぞれ接続される引き出し部分と、を含んでいることが好ましい。
【発明の効果】
【００１１】
本発明によれば、抵抗成分の抵抗値を精度よく管理することが可能な積層型フィルタを提供することができる。
【発明を実施するための最良の形態】
【００１２】
以下、添付図面を参照して、本発明の好適な実施形態について詳細に説明する。なお、説明において、同一要素又は同一機能を有する要素には、同一符号を用いることとし、重複する説明は省略する。
【００１３】
図１及び図２を参照して、本実施形態に係る積層型フィルタＦ１の構成について説明する。図１は、本実施形態に係る積層型フィルタの斜視図である。図２は、本実施形態に係る積層型フィルタに含まれるコンデンサ素体の分解斜視図である。
【００１４】
積層型フィルタＦ１は、図１に示されるように、コンデンサ素体ＣＥ１と、信号用端子電極１，２と、接地用端子電極３，４と、接続導体７〜１０とを備える。信号用端子電極１，２、接地用端子電極３，４、及び、接続導体７〜１０は、コンデンサ素体ＣＥ１の外表面に配置されている。積層型フィルタＦ１は、例えば、信号等の配線を介したノイズの漏洩や侵入を防止するためのノイズフィルタとして用いることができる。
【００１５】
コンデンサ素体ＣＥ１は、図１に示されるように、直方体状であり、第１及び第２の主面ＣＥ１ｅ，ＣＥ１ｆと、第１及び第２の端面ＣＥ１ａ，ＣＥ１ｂと、第１及び第２の側面ＣＥ１ｃ，ＣＥ１ｄとを有している。第１及び第２の主面ＣＥ１ｅ，ＣＥ１ｆは、長方形状を呈しており、互いに対向している。第１及び第２の端面ＣＥ１ａ，ＣＥ１ｂは、第１及び第２の主面ＣＥ１ｅ，ＣＥ１ｆ間を連結するように第１及び第２の主面の短辺方向に伸び且つ互いに対向している。第１及び第２の側面ＣＥ１ｃ，ＣＥ１ｄは、第１及び第２の主面ＣＥ１ｅ，ＣＥ１ｆ間を連結するように第１及び第２の主面ＣＥ１ｅ，ＣＥ１ｆの長辺方向に伸び且つ互いに対向している。
【００１６】
信号用端子電極１は、コンデンサ素体ＣＥ１の第１の端面ＣＥ１ａに配置されている。信号用端子電極１は、第１の端面ＣＥ１ａの一部を覆うように、第１及び第２の主面ＣＥ１ｅ，ＣＥ１ｆに渡って形成されている。信号用端子電極導体２は、コンデンサ素体ＣＥ１の第２の端面ＣＥ１ｂに配置されている。信号用端子電極導体２は、第２の端面ＣＥ１ｂの一部を覆うように、第１及び第２の主面ＣＥ１ｅ，ＣＥ１ｆに渡って形成されている。信号用端子電極１と信号用端子電極２とは、第１の端面ＣＥ１ａと第２の端面ＣＥ１ｂとが対向する方向で対向している。
【００１７】
接地用端子電極３は、コンデンサ素体ＣＥ１の第１の側面ＣＥ１ｃに配置されている。接地用端子電極３は、第１の側面ＣＥ１ｃの一部を覆うように、第１及び第２の主面ＣＥ１ｅ，ＣＥ１ｆに渡って形成されている。接地用端子電極４は、コンデンサ素体ＣＥ１の第２の側面ＣＥ１ｄに配置されている。接地用端子電極４は、第２の側面ＣＥ１ｄの一部を覆うように、第１及び第２の主面ＣＥ１ｅ，ＣＥ１ｆに渡って形成されている。
【００１８】
接続導体７，８は、コンデンサ素体ＣＥ１の第１の側面ＣＥ１ｃに配置されている。接続導体７，８は、第１の側面ＣＥ１ｃの一部を覆うように、第１及び第２の主面ＣＥ１ｅ，ＣＥ１ｆに渡って形成されている。接続導体９，１０は、コンデンサ素体ＣＥ１の第２の側面ＣＥ１ｄに配置されている。接続導体９，１０は、第２の側面ＣＥ１ｄの一部を覆うように、第１及び第２の主面ＣＥ１ｅ，ＣＥ１ｆに渡って形成されている。
【００１９】
接地用端子電極３、及び接続導体７，８は、コンデンサ素体ＣＥ１の第１の側面ＣＥ１ｃにおいて、第１の端面ＣＥ１ａから第２の端面ＣＥ１ｂに向う方向で、接続導体７、接地用端子電極３、接続導体８の順で配置されている。接地用端子電極４、及び接続導体９，１０は、コンデンサ素体ＣＥ１の第２の側面ＣＥ１ｄにおいて、第１の端面ＣＥ１ａから第２の端面ＣＥ１ｂに向う方向で、接続導体９、接地用端子電極４、接続導体１０の順で配置されている。接地用端子電極３と接地用端子電極４とは、第１の側面ＣＥ１ｃと第２の側面ＣＥ１ｄとが対向する方向で対向する。接続導体７と接続導体９とは、第１の側面ＣＥ１ｃと第２の側面ＣＥ１ｄとが対向する方向で対向する。接続導体８と接続導体１０とは、第１の側面ＣＥ１ｃと第２の側面ＣＥ１ｄとが対向する方向で対向する。
【００２０】
信号用端子電極１，２、接地用端子電極３，４、及び接続導体７〜１０は、例えば導電性金属粉末及びガラスフリットを含む導電性ペーストをコンデンサ素体ＣＥ１の外表面の付与し、焼き付けることによって形成される。必要に応じて、焼き付けられた端子電極及び接続導体の上にめっき層が形成されることもある。これらの信号用端子電極１，２、接地用端子電極３，４、及び接続導体７〜１０は、コンデンサ素体ＣＥ１の表面上においては互いに電気的に絶縁されて形成されている。
【００２１】
コンデンサ素体ＣＥ１は、図２に示されるように、複数（本実施形態では、９層）の絶縁体層１１〜１９と、複数（本実施形態では、８層）の内部電極２１〜２４，４１〜４４とを有している。各絶縁体層１１〜１９は、第１及び第２の主面ＣＥ１ｅ，ＣＥ１ｆに平行な方向に伸びており、第１及び第２の主面ＣＥ１ｅ，ＣＥ１ｆの対向方向に積層されている。各絶縁体層１１〜１９は、例えば誘電体セラミックを含むセラミックグリーンシートの焼結体から構成される。なお、実際の積層型フィルタＦ１では、絶縁体層１１〜１９は、互いの間の境界が視認できない程度に一体化されている。
【００２２】
複数の内部電極２１〜２４，４１〜４４は、複数（本実施形態では、４層）の信号用内部電極２１〜２４及び複数（本実施形態では、４層）の接地用内部電極４１〜４４を含んでいる。信号用内部電極２１〜２４は、第１の信号用内部電極２２〜２４と、第２の信号用内部電極２１とを含んでいる。各内部電極２１〜２４，４１〜４４は、例えば、導電性ペーストの焼結体から構成される。
【００２３】
第１の信号用内部電極２２〜２４と接地用内部電極４１〜４４とは、１つの絶縁体層１３〜１８をそれぞれの間に挟んで対向するように配置される。すなわち、第１の信号用内部電極２２と接地用内部電極４１とが、絶縁体層１３を挟んで対向している。第１の信号用内部電極２２と接地用内部電極４２とが、絶縁体層１４を挟んで対向している。第１の信号用内部電極２３と接地用内部電極４２とが、絶縁体層１５を挟んで対向している。第１の信号用内部電極２３と接地用内部電極４３とが、絶縁体層１６を挟んで対向している。第１の信号用内部電極２４と接地用内部電極４３とが、絶縁体層１７を挟んで対向している。第１の信号用内部電極２４と接地用内部電極４４とが、絶縁体層１８を挟んで対向している。
【００２４】
第２の信号用内部電極２１は、１つの絶縁体層１２を挟んで接地用内部電極４１と対向
するように配置されている。
【００２５】
第１の信号用内部電極２２〜２４は、主電極部分２２ａ〜２４ａと、引き出し部分２２ｂ〜２４ｂ，２２ｃ〜２４ｃ，２２ｄ〜２４ｄ，２２ｅ〜２４ｅとを含んでいる。主電極部分２２ａ〜２４ａは、第１及び第２の主面ＣＥ１ｅ，ＣＥ１ｆの長辺方向を長辺方向とする矩形状を呈している。主電極部分２２ａ〜２４ａと引き出し部分２２ｂ〜２４ｂ，２２ｃ〜２４ｃ，２２ｄ〜２４ｄ，２２ｅ〜２４ｅとは、一体的に形成されている。
【００２６】
引き出し部分２２ｂ〜２４ｂは、主電極部分２１ａの第１の端面ＣＥ１ａ側の端部から第１の側面ＣＥ１ｃに向けて伸びており、第１の側面ＣＥ１ｃまで引き出されている。引き出し部分２２ｃ〜２４ｃは、主電極部分２１ａの第２の端面ＣＥ１ｂ側の端部から第１の側面ＣＥ１ｃに向けて伸びており、第１の側面ＣＥ１ｃまで引き出されている。引き出し部分２２ｄ〜２４ｄは、主電極部分２１ａの第１の端面ＣＥ１ａ側の端部から第２の側面ＣＥ１ｄに向けて伸びており、第２の側面ＣＥ１ｄまで引き出されている。引き出し部分２２ｅ〜２４ｅは、主電極部分２１ａの第２の端面ＣＥ１ｂ側の端部から第２の側面ＣＥ１ｄに向けて伸びており、第２の側面ＣＥ１ｄまで引き出されている。
【００２７】
引き出し部分２２ｂ〜２４ｂ，２２ｃ〜２４ｃは、第１の端面ＣＥ１ａから第２の端面ＣＥ１ｂに向う方向で、引き出し部分２２ｂ〜２４ｂ、引き出し部分２２ｃ〜２４ｃの順で位置する。引き出し部分２２ｄ〜２４ｄ，２２ｅ〜２４ｅは、第１の端面ＣＥ１ａから第２の端面ＣＥ１ｂに向う方向で、引き出し部分２２ｄ〜２４ｄ、引き出し部分２２ｅ〜２４ｅの順で位置する。
【００２８】
引き出し部分２２ｂ〜２４ｂは、接続導体７に電気的且つ物理的に接続されている。引き出し部分２２ｃ〜２４ｃは、接続導体８に電気的且つ物理的に接続されている。引き出し部分２２ｄ〜２４ｄは、接続導体９に電気的且つ物理的に接続されている。引き出し部分２２ｅ〜２４ｅは、接続導体１０に電気的且つ物理的に接続されている。これらにより、第１の信号用内部電極２２〜２４は、接続導体７〜１０に電気的且つ物理的に接続されることとなる。
【００２９】
第２の信号用内部電極２１は、主電極部分２１ａと、引き出し部分２１ｂ〜２１ｇとを含んでいる。主電極部分２１ａは、第１及び第２の主面ＣＥ１ｅ，ＣＥ１ｆの長辺方向を長辺方向とする矩形状を呈している。主電極部分２１ａと引き出し部分２１ｂ〜２１ｇとは、一体的に形成されている。
【００３０】
引き出し部分２１ｂは、主電極部分２１ａの第１の端面ＣＥ１ａ側の端部から第１の端面ＣＥ１ａに向けて伸びており、第１の端面ＣＥ１ａまで引き出されている。引き出し部分２１ｃは、主電極部分２１ａの第２の端面ＣＥ１ｂ側の端部から第２の端面ＣＥ１ｂに向けて伸びており、第２の端面ＣＥ１ｂまで引き出されている。引き出し部分２１ｄは、主電極部分２１ａの第１の端面ＣＥ１ａ側の端部から第１の側面ＣＥ１ｃに向けて伸びており、第１の側面ＣＥ１ｃまで引き出されている。引き出し部分２１ｅは、主電極部分２１ａの第２の端面ＣＥ１ｂ側の端部から第１の側面ＣＥ１ｃに向けて伸びており、第１の側面ＣＥ１ｃまで引き出されている。引き出し部分２１ｆは、主電極部分２１ａの第１の端面ＣＥ１ａ側の端部から第２の側面ＣＥ１ｄに向けて伸びており、第２の側面ＣＥ１ｄまで引き出されている。引き出し部分２１ｇは、主電極部分２１ａの第２の端面ＣＥ１ｂ側の端部から第２の側面ＣＥ１ｄに向けて伸びており、第２の側面ＣＥ１ｄまで引き出されている。
【００３１】
引き出し部分２１ｄ，２１ｅは、第１の端面ＣＥ１ａから第２の端面ＣＥ１ｂに向う方向で、引き出し部分２１ｄ、引き出し部分２１ｅの順で位置する。引き出し部分２１ｆ，２１ｇは、第１の端面ＣＥ１ａから第２の端面ＣＥ１ｂに向う方向で、引き出し部分２１ｆ、引き出し部分２１ｇの順で位置する。
【００３２】
引き出し部分２１ｂは、信号用端子電極１に電気的且つ物理的に接続されている。引き出し部分２１ｃは、信号用端子電極２に電気的且つ物理的に接続されている。引き出し部分２１ｄは、接続導体７に電気的且つ物理的に接続されている。引き出し部分２１ｅは、接続導体８に電気的且つ物理的に接続されている。引き出し部分２１ｆは、接続導体９に電気的且つ物理的に接続されている。引き出し部分２１ｇは、接続導体１０に電気的且つ物理的に接続されている。これらにより、第２の信号用内部電極２１は、信号用端子電極１，２及び接続導体７〜１０に電気的且つ物理的に接続されることとなる。
【００３３】
接地用内部電極４１〜４４は、主電極部分４１ａ〜４４ａと、引き出し部分４１ｂ〜４４ｂ，４１ｃ〜４４ｃとを含んでいる。主電極部分４１ａ〜４４ａは、第１及び第２の主面ＣＥ１ｅ，ＣＥ１ｆの長辺方向を長辺方向とする矩形状を呈している。主電極部分４１ａ〜４４ａと引き出し部分４１ｂ〜４４ｂ，４１ｃ〜４４ｃとは、一体的に形成されている。引き出し部分４１ｂ〜４４ｂは、主電極部分４１ａ〜４４ａの長辺方向の中央部から第１の側面ＣＥ１ｃに向けて伸びており、第１の側面ＣＥ１ｃまで引き出されている。引き出し部分４１ｃ〜４４ｃは、主電極部分４１ａ〜４４ａの長辺方向の中央部から第２の側面ＣＥ１ｄに向けて伸びており、第２の側面ＣＥ１ｄまで引き出されている。
【００３４】
引き出し部分４１ｂ〜４４ｂは、接地用端子電極３に電気的且つ物理的に接続されている。引き出し部分４１ｃ〜４４ｃは、接地用端子電極４に電気的且つ物理的に接続されている。これらにより、接地用内部電極４１〜４４は、接地用端子電極３，４に電気的且つ物理的に接続されることとなる。
【００３５】
第１の信号用内部電極２２〜２４の主電極部分２２ａ〜２４ａと接地用内部電極４１〜４４の主電極部分４１ａ〜４４ａとは、対応する主電極部分同士が絶縁体層１３〜１８を挟んで対向している。これにより、所定の静電容量を有する容量成分が形成されることとなる。本実施形態では、第２の信号用内部電極２１の主電極部分２１ａと接地用内部電極４１の主電極部分４１ａとも、絶縁体層１２を挟んで対向しており、容量成分が形成されている。
【００３６】
上述したように構成された積層型フィルタＦ１では、図３に示されるように、容量成分ＣＣと、抵抗成分ＲＣとが形成される。この場合、信号用端子電極１，２が信号導線に接続されると共に接地用端子電極３，４がグランド接続導線に接続されており、接続導体７〜１０は信号導線及びグランド接続導線に直接的に接続されていない。図３は、本実施形態に係る積層型フィルタの等価回路図である。
【００３７】
容量成分ＣＣは、上述したように、絶縁体層１２〜１８、並びに、絶縁体層１２〜１８を挟んで対向する信号用内部電極２１〜２４及び接地用内部電極４１〜４４にて構成されることとなる。抵抗成分ＲＣは、信号用内部電極２１〜２４及び接続導体７〜１０にて構成されることとなる。したがって、抵抗成分ＲＣは、信号用端子電極１と信号用端子電極２との間に直列接続されることとなる。
【００３８】
ところで、積層型フィルタＦ１では、信号用内部電極２１〜２４すべてが端子電極に直接的に接続されているのではなく、その一部の信号用内部電極（第２の信号用内部電極２１）のみが信号用端子電極１，２に直接的に接続され、残りの信号用内部電極（第１の信号用内部電極２２〜２４）は接続導体７〜１０及び第２の信号用内部電極２１を通して信号用端子電極１，２に間接的に接続されている。すなわち、積層型フィルタＦ１では、複数の信号用内部電極２１〜２４が、接続導体７〜１０を介して互いに接続され、複数の信号用内部電極２１〜２４のうち１つ以上当該信号用内部電極２１〜２４の総数よりも１つ少ない数以下の信号用内部電極（本実施形態においては、一つの信号用内部電極２１）が、信号用端子電極１，２に接続されている。
【００３９】
また、積層型フィルタＦ１では、信号用端子電極１に着目すると、接続導体７〜１０それぞれの抵抗成分は、信号用端子電極１に対して直列接続されることとなる。また、信号用端子電極２に着目すると、接続導体７〜１０それぞれの抵抗成分は、信号用端子電極２に対して直列接続されることとなる。
【００４０】
これらにより、積層型フィルタＦ１は、すべての信号用内部電極２１〜２４が信号用端子電極１，２に引き出し部分を介して接続されている構成を備えた積層型フィルタに比して、抵抗成分ＲＣの抵抗値が大きくなる。
【００４１】
そして、積層型フィルタＦ１では、信号用端子電極１，２に直接的に接続されている信号用内部電極の数を、１つ以上当該信号用内部電極２１〜２４の総数よりも１つ少ない数以下の範囲で変更することにより、抵抗成分ＲＣの抵抗値が変化することとなる。また、積層型フィルタＦ１では、信号用端子電極１，２に直接的に接続されている信号用内部電極の位置（コンデンサ素体ＣＥ１における積層方向での位置）を変更することによっても、接続導体７〜１０の抵抗成分の接続状態（直列接続あるいは並列接続）が変化することとなり、抵抗成分ＲＣの抵抗値が変化する。
【００４２】
以上のように、本実施形態においては、引き出し部分２１ｄ，２１ｇを通して信号用端子電極１，２に直接的に接続される第２の信号用内部電極２１の数及び位置の一方又は双方を調整することにより、積層型フィルタＦ１の抵抗成分ＲＣの抵抗値が所望の値に設定されるので、抵抗成分ＲＣの抵抗値の制御を容易に且つ精度良く行うことができる。
【００４３】
本実施形態においては、大容量化に対応すべく第１の信号用内部電極２２〜２４及び接地用内部電極４１〜４４の積層数を増やして容量成分ＣＣの静電容量を大きくする場合でも、積層型フィルタＦ１の抵抗成分ＲＣの抵抗値が小さくなってしまうことを抑制することができる。
【００４４】
本実施形態においては、信号用端子電極１，２がコンデンサ素体ＣＥ１の第１及び第２の端面ＣＥ１ａ，ＣＥ１ｂの対向方向で対向している。また、接地用端子電極３，４が、コンデンサ素体ＣＥ１の第１及び第２の側面ＣＥ１ｃ，ＣＥ１ｄの対向方向で対向している。また、接続導体７，９が、コンデンサ素体ＣＥ１の第１及び第２の側面ＣＥ１ｃ，ＣＥ１ｄの対向方向で対向している。また、接続導体８，１０が、コンデンサ素体ＣＥ１の第１及び第２の側面ＣＥ１ｃ，ＣＥ１ｄの対向方向で対向している。これらにより、例えば直線状の信号導線に対して信号用端子電極１，２を接続すること、さらに直線状のグランド接続導線に対して接地用端子電極３，４を接続することが容易であり、積層型フィルタＦ１の実装が容易となる。
【００４５】
続いて、図４及び図５に基づいて、本実施形態の変形例に係る積層型フィルタＦ２について説明する。本変形例に係る積層型フィルタＦ２は、信号用端子電極１，２の形状の点で上述した実施形態に係る積層型フィルタＦ１と異なる。図４は、本実施形態の変形例に係る積層型フィルタを示す斜視図である。図５は、変形例に係る積層型フィルタに含まれるコンデンサ素体を示す分解斜視図である。
【００４６】
変形例に係る積層型フィルタＦ２では、図４に示されるように、信号用端子電極１がコンデンサ素体ＣＥ１の第１の端面ＣＥ１ａ全面及び当該第１の端面ＣＥ１ａと隣接している他の面（第１及び第２の主面ＣＥ１ｅ，ＣＥ１ｆ、並びに第１及び第２の側面ＣＥ１ｃ，ＣＥ１ｄ）の一部を覆っている。信号用端子電極２は、コンデンサ素体ＣＥ１の第２の端面ＣＥ１ｂ全面及び当該第２の端面ＣＥ１ｂと隣接している他の面（第１及び第２の主面ＣＥ１ｅ，ＣＥ１ｆ、並びに第１及び第２の側面ＣＥ１ｃ，ＣＥ１ｄ）の一部を覆っている。信号用端子電極１，２に接続される引き出し部分２１ｂ，２１ｃの幅（第１及び第２の側面ＣＥ１ｃ，ＣＥ１ｄの対向方向での長さ）はいずれも、図５に示されるように、主電極部分２１ａの幅と同じに設定されている。
【００４７】
本変形例においても、上述した実施形態と同様に、積層型フィルタＦ２の抵抗成分ＲＣの抵抗値の制御を容易に且つ精度良く行うことができる。
【００４８】
次に、図６及び図７を参照して、本実施形態の更なる変形例に係る積層型フィルタＦ３について説明する。本変形例に係る積層型フィルタＦ３は、接地用端子電極及び接続導体の構成の点で上述した本実施形態に係る積層型フィルタＦ１と相違する。図６は、本実施形態の変形例に係る積層型フィルタを示す斜視図である。図７は、変形例に係る積層型フィルタに含まれるコンデンサ素体を示す分解斜視図である。
【００４９】
変形例に係る積層型フィルタＦ３は、図６に示されるように、コンデンサ素体ＣＥ１と、信号用端子電極１，２と、接地用端子電極３〜６と、接続導体７，８とを備える。信号用端子電極１，２と、接地用端子電極３〜６と、接続導体７，９とは、コンデンサ素体ＣＥ１の外表面に配置されている。
【００５０】
接地用端子電極５は、接地用端子電極３と同様に、コンデンサ素体ＣＥ１の第１の側面ＣＥ１ｃに配置されている。接地用端子電極５は、第１の側面ＣＥ１ｃの一部を覆うように、第１及び第２の主面ＣＥ１ｅ，ＣＥ１ｆに渡って形成されている。接地用端子電極６は、接地用端子電極４と同様に、コンデンサ素体ＣＥ１の第２の側面ＣＥ１ｄに配置されている。接地用端子電極６は、第２の側面ＣＥ１ｄの一部を覆うように、第１及び第２の主面ＣＥ１ｅ，ＣＥ１ｆに渡って形成されている。
【００５１】
接地用端子電極３，５及び接続導体７は、コンデンサ素体ＣＥ１の第１の側面ＣＥ１ｃにおいて、第１の端面ＣＥ１ａから第２の端面ＣＥ１ｂに向う方向で、接地用端子電極３、接続導体７、接地用端子電極５の順で配置されている。接地用端子電極４，６及び接続導体９は、コンデンサ素体ＣＥ１の第２の側面ＣＥ１ｄにおいて、第１の端面ＣＥ１ａから第２の端面ＣＥ１ｂに向う方向で、接地用端子電極４、接続導体９、接地用端子電極６の順で配置されている。接地用端子電極５と接地用端子電極６とは、第１の側面ＣＥ１ｃと第２の側面ＣＥ１ｄとが対向する方向で対向する。
【００５２】
接地用端子電極５，６は、接地用端子電極３，４等と同様に、例えば導電性金属粉末及びガラスフリットを含む導電性ペーストをコンデンサ素体ＣＥ１の外表面の付与し、焼き付けることによって形成される。必要に応じて、焼き付けられた端子電極及び接続導体の上にめっき層が形成されることもある。これらの信号用端子電極１，２、接地用端子電極３〜６、及び接続導体７，９は、コンデンサ素体ＣＥ１の表面上においては互いに電気的に絶縁されて形成されている。
【００５３】
第１の信号用内部電極２２〜２４は、主電極部分２２ａ〜２４ａと、引き出し部分２２ｂ〜２４ｂ，２２ｄ〜２４ｄとを含んでいる。引き出し部分２２ｂ〜２４ｂは、主電極部分２１ａの長辺方向の中央部から第１の側面ＣＥ１ｃに向けて伸びており、第１の側面ＣＥ１ｃまで引き出されている。引き出し部分２２ｂ〜２４ｂは、接続導体７に電気的且つ物理的に接続されている。引き出し部分２２ｄ〜２４ｄは、主電極部分２１ａの長辺方向の中央部から第２の側面ＣＥ１ｄに向けて伸びており、第２の側面ＣＥ１ｄまで引き出されている。引き出し部分２２ｄ〜２４ｄは、接続導体９に電気的且つ物理的に接続されている。これらにより、第１の信号用内部電極２２〜２４は、接続導体７，９に電気的且つ物理的に接続されることとなる。
【００５４】
第２の信号用内部電極２１は、主電極部分２１ａと、引き出し部分２１ｂ，２１ｃ，２１ｄ，２１ｆとを含んでいる。引き出し部分２１ｄは、主電極部分２１ａの長辺方向の中央部から第１の側面ＣＥ１ｃに向けて伸びており、第１の側面ＣＥ１ｃまで引き出されている。引き出し部分２１ｄは、接続導体７に電気的且つ物理的に接続されている。引き出し部分２１ｆは、主電極部分２１ａの長辺方向の中央部から第２の側面ＣＥ１ｄに向けて伸びており、第２の側面ＣＥ１ｄまで引き出されている。引き出し部分２１ｆは、接続導体９に電気的且つ物理的に接続されている。これらにより、第２の信号用内部電極２１は、信号用端子電極１，２及び接続導体７，９に電気的且つ物理的に接続されることとなる。
【００５５】
接地用内部電極４１〜４４は、主電極部分４１ａ〜４４ａと、引き出し部分４１ｂ〜４４ｂ，４１ｃ〜４４ｃ，４１ｄ〜４４ｄ，４１ｅ〜４４ｅとを含んでいる。
【００５６】
引き出し部分４１ｂ〜４４ｂは、主電極部分４１ａ〜４４ａの第１の端面ＣＥ１ａ側の端部から第１の側面ＣＥ１ｃに向けて伸びており、第１の側面ＣＥ１ｃまで引き出されている。引き出し部分４１ｄ〜４４ｄは、主電極部分４１ａ〜４４ａの第２の端面ＣＥ１ｂ側の端部から第１の側面ＣＥ１ｃに向けて伸びており、第１の側面ＣＥ１ｃまで引き出されている。引き出し部分４１ｃ〜４４ｃは、主電極部分４１ａ〜４４ａの第１の端面ＣＥ１ａ側の端部から第２の側面ＣＥ１ｄに向けて伸びており、第２の側面ＣＥ１ｄまで引き出されている。引き出し部分４１ｅ〜４４ｅは、主電極部分４１ａ〜４４ａの第２の端面ＣＥ１ｂ側の端部から第２の側面ＣＥ１ｄに向けて伸びており、第２の側面ＣＥ１ｄまで引き出されている。
【００５７】
引き出し部分４１ｄ〜４４ｄは、接地用端子電極５に電気的且つ物理的に接続されている。引き出し部分４１ｅ〜４４ｅは、接地用端子電極６に電気的且つ物理的に接続されている。これらにより、接地用内部電極４１〜４４は、接地用端子電極３〜６に電気的且つ物理的に接続されることとなる。
【００５８】
上述したように構成された積層型フィルタＦ３では、積層型フィルタＦ１と同様に、図３に示されるように、容量成分ＣＣと、抵抗成分ＲＣとが形成される。この場合、信号用端子電極１，２が信号導線に接続されると共に接地用端子電極３〜６がグランド接続導線に接続されており、接続導体７，９は信号導線及びグランド接続導線に直接的に接続されていない。容量成分ＣＣは、絶縁体層１２〜１８、並びに、絶縁体層１２〜１８を挟んで対向する信号用内部電極２１〜２４及び接地用内部電極４１〜４４にて構成されることとなる。抵抗成分ＲＣは、信号用内部電極２１〜２４及び接続導体７，９にて構成されることとなる。
【００５９】
ところで、積層型フィルタＦ３では、信号用内部電極２１〜２４すべてが端子電極に直接的に接続されているのではなく、その一部の信号用内部電極（第２の信号用内部電極２１）のみが信号用端子電極１，２に直接的に接続され、残りの信号用内部電極（第１の信号用内部電極２２〜２４）は接続導体７，９及び第２の信号用内部電極２１を通して信号用端子電極１，２に間接的に接続されている。すなわち、積層型フィルタＦ３では、複数の信号用内部電極２１〜２４が、接続導体７，９を介して互いに接続され、複数の信号用内部電極２１〜２４のうち１つ以上当該信号用内部電極２１〜２４の総数よりも１つ少ない数以下の信号用内部電極（本実施形態においては、一つの信号用内部電極２１）が、信号用端子電極１，２に接続されている。
【００６０】
また、積層型フィルタＦ３では、信号用端子電極１に着目すると、接続導体７，９それぞれの抵抗成分は、信号用端子電極１に対して直列接続されることとなる。また、信号用端子電極２に着目すると、接続導体７，９それぞれの抵抗成分は、信号用端子電極２に対して直列接続されることとなる。
【００６１】
これらにより、積層型フィルタＦ３は、すべての信号用内部電極２１〜２４が信号用端子電極１，２に引き出し部分を介して接続されている構成を備えた積層型フィルタに比して、抵抗成分ＲＣの抵抗値が大きくなる。
【００６２】
そして、積層型フィルタＦ３では、信号用端子電極１，２に直接的に接続されている信号用内部電極の数を、１つ以上当該信号用内部電極２１〜２４の総数よりも１つ少ない数以下の範囲で変更することにより、抵抗成分ＲＣの抵抗値が変化することとなる。また、積層型フィルタＦ１では、信号用端子電極１，２に直接的に接続されている信号用内部電極の位置（コンデンサ素体ＣＥ１における積層方向での位置）を変更することによっても、接続導体７〜１０の抵抗成分の接続状態（直列接続あるいは並列接続）が変化することとなり、抵抗成分ＲＣの抵抗値が変化する。
【００６３】
本変形例においても、上述した実施形態と同様に、積層型フィルタＦ２の抵抗成分ＲＣの抵抗値の制御を容易に且つ精度良く行うことができる。
【００６４】
また、本変形例においても、上述した実施形態と同様に、例えば直線状の信号導線に対して信号用端子電極１，２を接続すること、直線状のグランド接続導線に対して接地用端子電極３，４を接続すること、及び、直線状のグランド接続導線に対して接地用端子電極５，６を接続することが容易であり、積層型フィルタＦ３の実装が容易となる。
【００６５】
以上、本発明の好適な実施形態について説明してきたが、本発明は必ずしも上述した実施形態に限定されるものではなく、その要旨を逸脱しない範囲で様々な変更が可能である。
【００６６】
例えば、第２の信号用内部電極２１と接続される信号用端子電極の数は、上述した実施形態及び変形例に記載された数に限られず、例えば３つ以上であってもよい。接地用内部電極４１〜４４と接続される接地用端子電極の数は、上述した実施形態及び変形例に記載された数に限られず、例えば１つであっても、あるいは３つであっても、あるいは５つ以上であってもよい。接続導体の数は、上述した実施形態及び変形例に記載された数に限られず、例えば１つであっても、あるいは３つであっても、あるいは５つ以上であってもよい。
【００６７】
信号用端子電極１，２、接地用端子電極３〜６、及び接続導体７〜１０の配置は、上述した実施形態及び変形例に記載された配置に限られず、コンデンサ素体ＣＥ１の外表面に配置されていればよい。したがって、例えば、信号用端子電極１，２はコンデンサ素体ＣＥ１の第１及び第２の端面ＣＥ１ａ，ＣＥ１ｂの対向方向で対向していなくてもよい。また、例えば、接地用端子電極３〜６はコンデンサ素体ＣＥ１の第１及び第２の側面ＣＥ１ｃ，ＣＥ１ｄの対向方向で対向していなくてもよい。また、例えば、接続導体７〜１０はコンデンサ素体ＣＥ１の第１及び第２の側面ＣＥ１ｃ，ＣＥ１ｄの対向方向で対向していなくてもよい。
【００６８】
絶縁体層１１〜１９の積層数、及び内部電極２１〜２４，４１〜４４の積層数は、上述
した実施形態及び変形例に記載された数に限られない。内部電極２１〜２４，４１〜４２
の形状は、上記実施形態及び変形例に記載された形状に限られない。
【００６９】
引き出し部分２１ｂ，２１ｃを介して信号用端子電極１，２に接続される第２の信号用内部電極２１の数及び積層方向での位置は、上述した実施形態及び変形例に記載された数及び位置に限られない。また、第２の信号用内部電極２１は、絶縁体層を挟んで接地用内部電極に対向するのではなく、絶縁体層を挟んで第１の信号用内部電極に対向するように配置されていてもよい。
【００７０】
第１の信号用内部電極２２〜２４と接地用内部電極４１〜４４との間に挟まれる絶縁体層の数は、少なくとも１層あればよく、例えば２層以上であってもよい。第２の信号用内部電極２１と接地用内部電極４１との間に挟まれる絶縁体層の数は、少なくとも１層あればよく、例えば２つ以上であってもよい。
【００７１】
積層型フィルタＦ１〜Ｆ３のコンデンサ素体ＣＥ１に対し、更に絶縁体層が積層されていてもよく、あるいは、更に絶縁体層と内部電極とが交互に積層されていてもよい。
【図面の簡単な説明】
【００７２】
【図１】本実施形態に係る積層型フィルタの斜視図である。
【図２】本実施形態に係る積層型フィルタに含まれるコンデンサ素体の分解斜視図である。
【図３】本実施形態に係る積層型フィルタの等価回路図である。
【図４】本実施形態の変形例に係る積層型フィルタの斜視図である。
【図５】本実施形態の変形例に係る積層型フィルタに含まれるコンデンサ素体の分解斜視図である。
【図６】本実施形態の変形例に係る積層型フィルタの斜視図である。
【図７】本実施形態の変形例に係る積層型フィルタに含まれるコンデンサ素体の分解斜視図である。
【符号の説明】
【００７３】
１，２…信号用端子電極、３〜６…接地用端子電極、７〜１０…接続導体、１１〜１９…絶縁体層、２１…第２の信号用内部電極、２１ａ…主電極部分、２１ｂ〜２１ｇ…引き出し部分、２２〜２４…第１の信号用内部電極、２２ａ〜２４ａ…主電極部分、２２ｂ〜２４ｂ，２２ｃ〜２４ｃ，２２ｄ〜２４ｄ，２２ｅ〜２４ｅ…引き出し部分、４１〜４４…接地用内部電極、４１ａ〜４４ａ…主電極部分、４１ｂ〜４４ｂ，４１ｃ〜４４ｃ，４１ｄ〜４４ｄ，４１ｅ〜４４ｅ…引き出し部分、Ｆ１〜Ｆ３…積層型フィルタ、ＣＥ１…コンデンサ素体、ＣＥ１ａ，ＣＥ１ｂ…端面、ＣＥ１ｃ，ＣＥ１ｄ…側面、ＣＥ１ｅ，ＣＥ１ｆ…主面。
【図１】
2008042750.tif 000003
【図２】
2008042750.tif 000004
【図３】
2008042750.tif 000005
【図４】
2008042750.tif 000006
【図５】
2008042750.tif 000007
【図６】
2008042750.tif 000008
【図７】
2008042750.tif 000009